(57)【要約】【課題】昼間とは異なる照明効果を夜間等において得ることができるとともに、ルーバの傾動姿勢によって照明効果を異ならせることができる。【解決手段】本発明は、上下方向に間隔を空けて夫々水平軸回りに回動自在に配置した複数のルーバー材Ｂ…を備え、ルーバー材Ｂは、中空部を有する外殻構造であり、照射光を遮断する遮光部Ｓ１，Ｓ２と、照射光を透過する透光部Ｓ３，Ｓ４とを外殻３０に区画形成し、透光部Ｓ３，Ｓ４を介して外部に照明光を発する光源部８０を外殻３０内に配設している。【選択図】図１
2010077638.tif 000002
【特許請求の範囲】
【請求項１】
上下方向に間隔を空けてそれぞれ水平軸回りに回動自在に配置した複数のルーバー材を備え、ルーバー材は、中空部を有する外殻構造であり、照射光を遮断する遮光部と、照射光を透過する透光部とを外殻に区画形成し、透光部を介して外部に照明光を発する光源部を外殻内に配設してあることを特徴とするルーバ装置。
【請求項２】
照明光が外殻内で反射した後に外部に照射されるように、光源部を遮光部の外殻内に配設していることを特徴とする請求項１に記載のルーバ装置。
【請求項３】
外殻は、遮光部を形成する遮光分殻体と透光部を形成する透光分殻体とからなることを特徴とする請求項１又は２に記載のルーバ装置。
【発明の詳細な説明】
【技術分野】
【０００１】
本発明は、室内外に設けて遮光と採光を行うルーバ装置に関する。
【背景技術】
【０００２】
従来、窓から室内に射し込む直射日光等の光を遮るため、窓にルーバ装置を設けて遮光及び採光を行うものとして、「縦型ルーバー」の名称で特許文献１に開示されたものがある。
特許文献１に開示された従来の縦型ルーバーは、多数のルーバーを垂直方向の回転軸心を中心として回転可能に支持した構造のものであり、そのルーバーに発光体を備えたものであり、これにより室内の美観を向上させられるとしている。
【特許文献１】特開２００７−３１５０８３号公報
【発明の開示】
【発明が解決しようとする課題】
【０００３】
しかしながら、上記した特許文献１に記載の縦型ルーバーでは、発光体である各ＬＥＤがルーバーの外方に向けて光を単に発するようにしているので、照明効果が単調である。
【０００４】
そこで本発明は、昼間とは異なる照明効果を夜間等において得ることができるとともに、ルーバの傾動姿勢によって照明効果を異ならせることができるルーバ装置の提供を目的としている。
【課題を解決するための手段】
【０００５】
上記目的を達成するための本発明の構成は、次のとおりである。
請求項１に記載したルーバ装置は、上下方向に間隔を空けてそれぞれ水平軸回りに回動自在に配置した複数のルーバー材を備え、ルーバー材は、中空部を有する外殻構造であり、照射光を遮断する遮光部と、照射光を透過する透光部とを外殻に区画形成し、透光部を介して外部に照明光を発する光源部を外殻内に配設してあることを特徴としている。
【０００６】
請求項２に記載のルーバ装置は、請求項１に記載した構成において、照明光が外殻内で反射した後に外部に照射されるように、光源部を遮光部の外殻内に配設している。
【０００７】
請求項３に記載のルーバ装置は、請求項１又は２に記載した外殻が、遮光部を形成する遮光分殻体と透光部を形成する透光分殻体とからなる。
【発明の効果】
【０００８】
請求項１に記載した発明によれば、昼間とは異なる照明効果を夜間等において得ることができるとともに、ルーバの傾動姿勢によって照明効果を異ならせることができる。
請求項１に記載した発明で得られる効果に加え、各請求項に記載の発明によれば次の効果を得ることができる。
【０００９】
請求項２に記載した発明によれば、照明光が外殻内で反射した後に外部に照射されるように光源部を配設しているので、光源部の位置が外部から判別し難くすることができる。また、透光部において散光させることができ、透光部全体を明るく光らせることができる。
請求項３に記載した発明によれば、照明光が外殻内で反射した後に外部に照射されるように、光源部を遮光部の外殻内に配設しているので、遮光部と透光部との形成を容易に行うことができる。
【発明を実施するための最良の形態】
【００１０】
以下に、本発明を実施するための最良の形態について、図面を参照して説明する。図１は、本発明の第一の実施形態に係るルーバー材の一部をなすルーバ本体の断面図、図２は、本発明の一実施形態に係るルーバ装置の正面図、図３は、図２に示すＩ‐Ｉ線に沿う断面図であり、その一部を省略して示している。また、図４は、図１に示すＩＩ‐ＩＩ線に沿う断面図であり、その一部を省略して示している。
【００１１】
本発明の一実施形態に係るルーバ装置Ａは、互いに所要の間隔で複数並列したルーバー材Ｂ…を互いに同期して傾動させるようにしたものである。
本実施形態においては、上下方向に間隔を空けてそれぞれ水平軸回りに回動自在に配置した複数のルーバー材Ｂ…を備え、ルーバー材Ｂ…は、中空部βを有する外殻構造であり、照射光を遮断する遮光部Ｓ１，Ｓ２と、照射光を透過する透光部Ｓ３，Ｓ４とを外殻に区画形成し、透光部Ｓ３，Ｓ４を介して外部に照明光を発する光源部８０を外殻３０内に配設している。
【００１２】
具体的には、互いに所要の間隔をおいて起立した竪枠材１０Ａ，１０Ｂ，１０Ｃの上端部間に、横枠材１１，１１を横架してなる枠体１２と、それら竪枠材１０Ａ，１０Ｂ，１０Ｃ間に上下多段に配列した複数のルーバー材Ｂ…とを主要の構成としたものである。
【００１３】
竪枠材１０Ａは、図３に示すように、互いに平行にした側壁１３ａ，１３ｂ及び内外壁１４，１５により長方形の中空枠として一体成型されている。
なお、他の竪枠材１０Ｂ，１０Ｃは、竪枠材１０Ａと同等の構造になっているので、それらと同等のものに同一の符号を付して説明を省略する。
【００１４】
竪枠材１０Ａの側壁１３ｂには、基部１６ａの一端に支持片１６ｂを折曲形成した平面視Ｌ字形の支持材１６と、基部１６ａの他端に当接させたアングル材１７とが固定されている。
支持片１６ｂには、平面視Ｌ字形のカバー部材１８、軸支部材１９、ガイドプレート２０がそれぞれ固定されている。なお、２１は、アングル材１７に固定されたカバー部材である。
【００１５】
軸支部材１９は平面視Ｌ字形に形成されており、それには、ルーバー材Ｂを傾動自在に軸支するための円筒形の軸支部２２の基端部が固着されている。
【００１６】
ルーバー材Ｂは第一の実施形態に係るものであり、それは、詳細を後述するルーバ本体５０の両端に、取付け具７０，７０を配設したものである。
取付け具７０は金属製のものであり、ルーバ本体５０の輪郭に沿う形状にした側壁７１の辺縁に沿って、一定幅の鍔７２を連成したものである。
【００１７】
側壁７１であって、上記した軸支部２２に対向する位置には、嵌合孔７１ａが形成されているとともに、その嵌合孔７１ａから外端側（室外側）に偏移した位置には、ルーバ本体５０を位置決めするための位置決めピン７２が、また、内端側（室内側）に偏移した位置には、上下多段に配列したルーバー材Ｂ…の上半部側のものに共通の連動棒７３が、また、下半部側のものにも共通の連動棒７３がそれぞれ連結されている。
【００１８】
連動棒７３，７３には、図３に示すように、ガイドプレート２０に形成されている半円弧形のガイド溝２０ａに沿って移動するハンドル７４，７４がそれぞれ固定されている。
このハンドル７４を、ガイド溝２０ａに沿って上下移動することにより、ルーバー材Ｂ…を傾動させるようになっている。
【００１９】
本実施形態においては、上半部側に配設したルーバー材Ｂ…と、下半部側に配設したルーバー材Ｂ…とを、別のハンドル７４，７４によって互いに独立して傾動させられるようにしているが、すべてのルーバー材Ｂを同期して傾動するようにしてもよい。
【００２０】
竪枠材１０Ｂの側壁１３ａには、上記したものと同等の支持材１６、アングル材１７が固定されている。
支持片１６ｂには、上記したものと同等のカバー部材１８と軸支部材１９が、また、アングル材１７にはカバー部材１８が固定されている。
【００２１】
この竪枠材１０Ｂの側壁１３ｂには、上記した竪枠材１０Ａの側壁１３ｂに配設した、支持材１６、アングル材１７、カバー部材１８、軸支部材１９、ガイドプレート２０及びカバー部材２１と同等のものが配設されているので、それらと同一の符号を付して説明を省略する。
【００２２】
また、竪枠材１０Ｃの側壁１３ａにも、竪枠材１０Ｂの側壁１３ａにおいて説明した、支持材１６、アングル材１７、カバー部材１８，１８、軸支部材１９と同等のものが配設されているので、それらと同一の符号を付して説明を省略する。
【００２３】
次に、ルーバ本体について、図４をも参照して詳細に説明する。図４は、一実施形態に係るルーバー材の一部をなすルーバ本体の断面図である。
ルーバ本体５０は合成樹脂製のものであり、図１に示す隣り合う立枠１０Ａ，１０Ｂの間隔よりもやや短い全長Ｌにし、かつ、所要の幅Ｗにした略断面翼形の中空外殻構造にしているとともに、その外殻３０内に光源部８０を配設したものである。
【００２４】
外殻３０は、照射光を遮断する遮光部Ｓ１，Ｓ２となるように着色した一端半部側（室外側）の遮光分殻体５１と、照射光を透過する透光部Ｓ３，Ｓ４となるように透明又は半透明に形成した他端半部側（室外側）の透光分殻体５２とからなる。
「照射光」は、本ルーバ装置Ａを室内外の境界に配置したときには日光のことであり、また、例えば室内において部屋を仕切る位置に配置したときには、室内灯の光のことである。
【００２５】
このように、遮光部Ｓ１，Ｓ２と透光部Ｓ３，Ｓ４とに対応する二つの遮光，透光分殻体５１，５２により形成しているので、それら遮光部Ｓ１，Ｓ２と透光部Ｓ３，Ｓ４の成型を容易に行うことができる。
なお、「一端半部」を室外側に向けているという意味において「外端半部」、「他端半部」を室内側に向けているという意味において「内端半部」とも称することができる。
【００２６】
一端半部側の分殻体５１は、凸曲成した一面側（図示上面側）の外殻部分５１ａと、凹曲成した他面側（図示下面側）の外殻部分５１ｂを一端部から他端部に向け、互いの間隔が次第に広がるように一体に成形されており、また、中空部β内には、補強リブ５１ｃが一体に形成されている。
詳細については後述するが、凸曲成した一面側の外殻部分５１ａは、凹曲成した他面側の外殻部分５１ｂよりも他端部側に延出して長く形成されている。
【００２７】
一面側の外殻部分５１ａは、照射光を室外側に反射返戻する曲面形状に、また、他面側の外殻部分５１ｂは、照射光を室内側に反射する曲面形状にそれぞれ形成されている。
また、一面側の外殻部分５１ａと、他面側の外殻部分５１ｂの各内辺縁部５１ａ´，５１ｂ´には、後述する弾性係合部５５，５６と係合するための断面略Ｃ字形の弾性係合部５３，５４が形成されている。
【００２８】
他端半部側の透光分殻体５２は、それぞれ凸曲面にした一面側の外殻部分５２ａと他面側の外殻部分５２ｂを、他端部から一端部に向け、次第に互いの間隔が広がるように一体に形成されている。
また、その一面側の外殻部分５２ａの辺縁部５２ａ´と、他面側の外殻部分５２ｂの各辺縁部５２ｂ´には、上記弾性係合部５３，５４と係合するための略Ｌ字形の弾性係合部５５，５６が形成されている。
【００２９】
上記した補強リブ５１ｃの一面側の基端部と、弾性係合部５４の基端部には、詳細を後述する光源部８０を嵌合保持するための嵌合凹部５７，５８がルーバー材Ｂのほぼ全長にわたり形成されている。
【００３０】
光源部８０は、ルーバＢのほぼ全長よりもやや短い横長の基板８１に、光源である複数のＬＥＤ８２…を基板８１の長手方向に沿って互いに一定の間隔で配列したものである。
本実施形態においては、嵌合凹部５７，５８に基板８１を嵌合することにより、中心軸線Ｏに対し、その基板８１を約４５°程度の傾斜角度にして保持することができる。
【００３１】
これにより、ＬＥＤ８２…から発せられた光γは、外殻部分５１ａの内面に反射した後に、透光部Ｓ３，Ｓ４を介して拡散されて外部に出射される。これにより、各ＬＥＤ８２が透光部Ｓ３，Ｓ４の外部から認識されることなく、ルーバー材全体が光っているような印象を与えられることができるようにしている。
【００３２】
本実施形態において示すルーバ本体５０は、一端半部側の遮光分殻体５１と他端半部側の透光分殻体５２とを互いの弾性係合部５３，５４、５５，５６を係合することに形成されている。
これにより、ルーバ本体５０、従ってまた、ルーバー材Ｂの一端半部側の一面側と他面側にそれぞれ遮光部Ｓ１，Ｓ２が、また、他端半部側の一面側と他面側にそれぞれ透光部Ｓ３，Ｓ４がそれぞれ形成されていることになる。
【００３３】
本実施形態においては、ルーバー材Ｂを採風姿勢に傾動したとき、隣り合うルーバＢ，Ｂの遮光部Ｓ１，Ｓ２どうしが、照射光に対して少なくともその一部が重なり合うように、それら遮光部の形成領域を設定している。
具体的には、隣り合う上下のルーバー材Ｂ，Ｂどうしの配列間隔を勘案して、上記した遮光部Ｓ１と透光部Ｓ３との比率ａ，ｂをａ＞ｂとし、また、遮光部Ｓ２と透光部Ｓ４との比率ｃ，ｄをｃ＜ｄ、とした寸法関係を満たすようにしている。
【００３４】
また、ルーバー材を閉じた状態、すなわち、閉姿勢に回動したとき、隣り合う二つのルーバー材Ｂ，Ｂの透光部Ｓ３，Ｓ３と遮光部Ｓ１，Ｓ２とが、照射光に対して互いに重なり合わない寸法関係をも満たすようにしている。
【００３５】
上記した各ＬＥＤ８２…は、図５に示す制御部Ｃによって点灯制御されるようになっている。図５は、本装置の電気系統を示すブロック図である。
制御部Ｃの入力側に安定化電源部である安定化電源装置８３を介して商用電源（図示しない）が接続されており、また、出力側には上述した各ＬＥＤ８２…が接続されている。
安定化電源装置８３は、ＡＣ-ＤＣ変換機能と、定電流化機能を有する公知の構成からなるものである。
【００３６】
制御部Ｃは、ＣＰＵ（Central Processing Unit）やインターフェース回路等からなるものであり、図示しないスイッチの操作により上述した光源部８０を点滅制御するための機能の他、所要のプログラムの実行により、次の各機能を発揮する。
（１）各光源８２の発光態様を変更するための機能。この機能を「発光態様変更手段Ｃ１」という。
本実施形態においては、各光源８２を一斉に発光する一斉発光態様、一定の時間間隔で発光量を増減変化させる増減変化態様、また、発光色の異なる複数種類のＬＥＤを基板に配列しておき、一定時間毎に他の発光色に切り替える発光色切替え態様等である。
さらに、ルーバー材の傾動角度を検出する傾動角度検出センサを例えば立枠に配設しておき、ルーバを既定の角度に傾動したときに、所定の発光色のＬＥＤを発光させてもよい。
【００３７】
次に、ルーバと入射光との関係について、図６〜１０を参照して説明する。図６は、上記したルーバー材の回動範囲を示す説明図、図７は、ルーバー材を一の態様に係る採風姿勢にしたときの様子を示す説明図、図８は、ルーバー材を閉じた姿勢にした様子を示す説明図である。また、図９は、ルーバー材を他の態様に係る採風姿勢にした様子を示す説明図、図１０は、ルーバー材をさらに他の態様に係る採風姿勢にした様子を示す説明図である。なお、図７〜１０においては、照射角度が異なる照射光（日光）を矢印α１，α２で示している。
【００３８】
上記したルーバー材Ｂは、例えば四季それぞれに対応した角度に回動させることができ、例えば図６（Ａ）には、例えば雨や雪を防ぐように閉じた第一の閉姿勢（イ）を示している。
【００３９】
同様にして、同図（Ｂ）〜（Ｄ）には、例えば夏から秋の気候に合わせた角度に回動した採風姿勢（ロ）〜（ニ）、また、同図（Ｅ）は、例えば冬の気候において寒風を防ぐように閉じた第二の閉姿勢（ホ）を示している。
なお、上記図５（Ｂ）〜（Ｄ）に示す採風姿勢（ロ）〜（ニ）を、ルーバー材Ｂの採風状態ともいい、また、同図（Ａ），（Ｅ）に示す第一，第二の閉姿勢をルーバー材Ｂを閉じた状態ともいう。
【００４０】
図７に示すように、照射光α１の照射角度を勘案し、その照射光α１にほぼ直交する採風姿勢となるようにルーバー材Ｂ…を傾動させる。換言すると、それらのルーバー材Ｂ…の各他端部を斜め上向きにした採風姿勢にする。
この場合、隣り合う二つのルーバー材Ｂ，Ｂのうち、上段側のルーバー材Ｂの一端部際を通過する入射光α１は、下段のルーバー材Ｂの上面側の遮光部Ｓ１によって遮られ、これにより、採風を行いながらも照射光が室内側に差し込むことがない。
【００４１】
上述したように本実施形態においては、隣り合う上下のルーバー材Ｂ，Ｂどうしの配列間隔を勘案して、上記した遮光部Ｓ１と透光部Ｓ２との比率ａ，ｂをａ＞ｂとしているので、照射光α１の照射角度が、例えば季節毎に想定された角度範囲内で深浅変動するときにも、十分に対応することができる。
【００４２】
図８に示すように、ルーバー材Ｂ…を回動させて、上段側のルーバー材Ｂの他端部と下段側のルーバー材Ｂの一端部とが重なり合う全閉姿勢（ホ）にする。
この全閉姿勢（ホ）においては、透光部Ｓ３，４を通じて照射光α２を室内側に十分に取り込むことができ、所望の明るさの採光を行うことができる。また、透光部Ｓ３，４に透過した照射光α２を、中空部βによって反射拡散することができるので、均質化した光を室内に取り込むことができる。
【００４３】
図９に示すように、照射光α１の照射角度を勘案し、その照射光α１に対して中心軸線Ｏが９０度よりもやや鈍角となるようにルーバー材Ｂ…を回動させて、それらルーバー材Ｂ…の他端部をやや上向きにした採風姿勢（ロ）にする。
【００４４】
この採風姿勢においては、各ルーバー材Ｂの一端部側に凸曲成した遮光部Ｓ１によって、照射光は室外側に反射返戻される。これにより、想定外の照射光が室内側に入り込むことを防止できる。
また、隣り合う二つのルーバー材Ｂ，Ｂのうち、上段側のルーバＢの後端部際を通過する入射光α１は、下段側のルーバー材Ｂの遮光部Ｓ１によって遮られ、これにより、採風を行いながらも照射光が室内側に差し込むことがない。
【００４５】
図１０に示すように、照射光α２の照射角度を勘案し、その照射光α２が他面側の遮光部Ｓ２に照射される採風姿勢（ニ）となるようにルーバー材Ｂ…を回動させる。換言すると、そのルーバー材Ｂの他端部を斜め下向きにした採風姿勢にする。
【００４６】
この採風姿勢（ニ）においては、各ルーバー材Ｂの凹曲成にした遮光部Ｓ２によって、照射光が室内側に反射され、また、その反射光の一部は下段側のルーバー材Ｂの遮光部Ｓ１によって室内側にに反射されて採り入れられる。これにより、採風を行いながら、より明るい採光を行うことができる。
【００４７】
次に、夜間等において各ルーバー材Ｂ…の光源を点灯させた状態について説明する。図１１は、ルーバー材を水平姿勢にしたときの様子を示す説明図、図１２は、ルーバー材の他端部をやや上向きにしたときの様子を示す説明図である。
【００４８】
図１１に示すように、各ルーバー材Ｂを水平姿勢にしたときには、それら各ルーバー材Ｂ…から発せられた照射光α３，４は、上下方向に向けて照射される。これにより、室内側を暗く保ったままにすることができるので、室外側からは謂わば「光のカーテン」となって、室外側から室内側の様子を視認されることがない。
【００４９】
図１２に示すように、各ルーバー材Ｂを、これらの他端部をやや上向きにしたときには、それら各ルーバー材Ｂ…から発せられた照射光α３は、室内側に向けてやや下向きに照射される。これにより、室内側をぼんやりと明るさにして照明することができる。
【００５０】
以上の構成によれば、次の効果を得ることができる。
・昼間とは異なる照明効果を夜間等において得ることができるとともに、ルーバー材の傾動姿勢によって照明効果を異ならせることができる。
・照明光が外殻内で反射した後に外部に照射されるように光源部を配設しているので、光源の位置が外部から判別し難くすることができる。また、透光部において散光させることができ、透光部全体を明るく光らせることができる。
・発光態様変更手段により各光源の発光態様を変更することができるので、より多彩な照明効果を得ることができる。
【００５１】
なお、本発明は上述した実施形態に限るものではなく、次のような変形実施が可能である。
上述した実施形態においては、互いに同一構造のルーバー材を、互いに所要の間隔で複数並列した構造のものを例として説明したが、互いに異なる構造のものを配列してもよい。
【図面の簡単な説明】
【００５２】
【図１】本発明の第一の実施形態に係るルーバー材の一部をなすルーバ本体の断面図である。
【図２】本発明の一実施形態に係るルーバ装置の正面図である。
【図３】図２に示すＩ‐Ｉ線に沿う断面図であり、その一部を省略して示している。
【図４】図２に示すＩＩ‐ＩＩ線に沿う断面図であり、その一部を省略して示している。
【図５】本装置の電気系統を示すブロック図である。
【図６】上記したルーバー材の回動範囲を示す説明図である。
【図７】ルーバー材を一の態様に係る採風姿勢にしたときの様子を示す説明図である。
【図８】ルーバー材を閉じた姿勢にした様子を示す説明図である。
【図９】ルーバー材を他の態様に係る採風姿勢にした様子を示す説明図である。
【図１０】ルーバー材をさらに他の態様に係る採風姿勢にした様子を示す説明図である。
【図１１】ルーバー材を水平姿勢にしたときの様子を示す説明図である。
【図１２】ルーバー材の他端部をやや上向きにしたときの様子を示す説明図である。
【符号の説明】
【００５３】
３０                外殻
５１                遮光分殻体
５１ａ，５１ｂ      外殻部分
５２ａ，５２ｂ      外殻部分
５２                透光分殻体
８０                光源部
Ａ                  ルーバ装置
Ｂ                  ルーバー材
Ｓ１，Ｓ２          遮光部
Ｓ３，Ｓ４          透光部
【図１】
2010077638.tif 000003
【図２】
2010077638.tif 000004
【図３】
2010077638.tif 000005
【図４】
2010077638.tif 000006
【図５】
2010077638.tif 000007
【図６】
2010077638.tif 000008
【図７】
2010077638.tif 000009
【図８】
2010077638.tif 000010
【図９】
2010077638.tif 000011
【図１０】
2010077638.tif 000012
【図１１】
2010077638.tif 000013
【図１２】
2010077638.tif 000014